(57)【要約】【課題】２つの表示部を備えた撮像装置において、利用者が、フレーミングをしっかり確認できる表示方法と画像全体が大きく見える方法とを容易に使い分けられるようにする。【解決手段】撮像素子１０が被写体から受光した光に基づいて画像データＤ１を生成する撮像動作を行う撮像装置１００であって、画像データＤ１に基づいて画像を表示する第１表示部３０と、画像データＤ１に基づいて第１表示部３０よりも大きく画像を表示する第２表示部４０と、撮像素子１０の受光した光に基づく動画像と該動画像の画像データＤ１の生成条件情報とを重畳するように合成して第１表示部３０に表示し、動画像の外部に該動画像の画像データＤ１の生成条件情報を合成して第２表示部４０に表示する表示制御部２０と、を備える。【選択図】図２
2011119932.tif 000002
【特許請求の範囲】
【請求項１】
撮像素子が被写体から受光した光に基づいて画像データを生成する撮像動作を行う撮像装置であって、
画像データに基づいて画像を表示する第１の表示部と、
画像データに基づいて上記第１の表示部が表示可能な画像よりも大きく画像を表示することが可能な第２の表示部と、
上記撮像素子の受光した光に基づく動画像と該動画像の画像データの生成条件情報とを重畳するように合成して上記第１の表示部に表示し、動画像の外部に該動画像の画像データの生成条件情報を合成して上記第２の表示部に表示する表示制御部と、
を備える撮像装置。
【請求項２】
撮像素子が被写体から受光した光に基づいて画像データを生成する撮像動作を行う撮像装置であって、
のぞき窓の内部に設けられて画像データに基づいて画像を表示する第１の表示部と、
撮像装置の筐体表面に設けられて画像データに基づいて画像を表示する第２の表示部と、
上記撮像素子が受光した光に基づく動画像の外部に該動画像の画像データの生成条件情報を合成して第１の表示部に表示し、動画像と該動画像の画像データの生成条件情報とを重畳するように合成して第２の表示部に表示する表示制御部と、
を備える撮像装置。
【請求項３】
撮像素子が被写体から受光した光に基づいて画像データを生成する撮像動作を行う撮像装置であって、
画像データに基づいて画像を表示する第１の表示部と、
上記第１の表示部と異なる表示部であり、画像データに基づいて画像を表示する第２の表示部と、
上記撮像素子が受光した光に基づく動画像と該動画像の画像データの生成条件情報とを重畳するように合成して上記第１の表示部に表示すると同時に動画像の外部に該動画像の画像データの生成条件情報を合成して第２の表示部に表示する表示制御部と、
を備える撮像装置。
【請求項４】
撮像素子が被写体から受光した光に基づいて画像データを生成する撮像動作を行う撮像方法であって、
画像データに基づいて画像を表示する第１の表示部と、画像データに基づいて上記第１の表示部が表示可能な画像よりも大きく画像を表示することが可能な第２の表示部と、を制御することにより、上記撮像素子の受光した光に基づく動画像と該動画像の画像データの生成条件情報とを重畳するように合成して上記第１の表示部に表示し、動画像の外部に該動画像の画像データの生成条件情報を合成して上記第２の表示部に表示する表示制御工程を備える撮像方法。
【請求項５】
撮像素子が被写体から受光した光に基づいて画像データを生成する撮像動作を行う撮像方法であって、
のぞき窓の内部に設けられて画像データに基づいて画像を表示する第１の表示部と、撮像装置の筐体表面に設けられて画像データに基づいて画像を表示する第２の表示部と、を制御することにより、上記撮像素子が受光した光に基づく動画像の外部に該動画像の画像データの生成条件情報を合成して第１の表示部に表示し、動画像と該動画像の画像データの生成条件情報とを重畳するように合成して第２の表示部に表示する表示制御工程を備える撮像方法。
【請求項６】
撮像素子が被写体から受光した光に基づいて画像データを生成する撮像動作を行う撮像方法であって、
画像データに基づいて画像を表示する第１の表示部と、上記第１の表示部と異なる表示部であり、画像データに基づいて画像を表示する第２の表示部と、を制御することにより、上記撮像素子が受光した光に基づく動画像と該動画像の画像データの生成条件情報とを重畳するように合成して上記第１の表示部に表示すると同時に動画像の外部に該動画像の画像データの生成条件情報を合成して第２の表示部に表示する表示制御工程を備える撮像方法。
【請求項７】
請求項５〜請求項７の何れか１項に記載の撮像方法で撮像装置に撮像動作を行わせるコンピュータープログラム。
【発明の詳細な説明】
【技術分野】
【０００１】
本発明は、撮像装置、撮像方法および撮像プログラムに関し、特に、撮像素子が被写体から受光した光に基づいて画像データを生成する撮像動作を行う撮像装置、撮像方法および撮像プログラムに関する。
【背景技術】
【０００２】
従来のフィルム式のカメラでは、ファインダーを通して被写体のフレーミングやピントを調整していた。これに対し、近年めざましく普及してきたデジタルスチルカメラにはファインダーの設けられたものは少なく、筐体の背面側（撮像者側）に設けられた液晶ディスプレイに表示された被写体のライブビュー画像を見てフレーミングやピントを調整することが多い。この液晶ディスプレイにおいては、ライブビュー画像に対するピントやシャッター速度などの撮像に関する各種情報のオーバーレイ表示のオンオフを切換えられるようになっている（例えば特許文献１参照）。
【先行技術文献】
【特許文献】
【０００３】
【特許文献１】特開２００８−２９４７０５号公報
【発明の概要】
【発明が解決しようとする課題】
【０００４】
デジタルスチルカメラは、デジタルビデオカメラと異なり、撮影する瞬間のフレーミング（メインの被写体とそれ以外の被写体との関係）や撮影される画像の中に不必要な物が写っていないかどうかに多くの神経を使って撮影する傾向が強い。このため、にライブビュー画像を表示しつつ撮影を行う時に、カメラ設定情報（シャッター速度，絞り等の設定，ホワイトバランスの設定）がオーバーレイ表示されていると肝心の撮影する画像が見えなくなってしまうという問題があった。その一方で、限られた表示スペースの中で可能な限り撮影する被写体を大きく見たいというニーズもある。
【０００５】
ところで、近年になってＥＶＦ（Electronic View Finder）と筐体の背面に設けられた液晶ディスプレイとを備えたデジタルスチルカメラが販売され始めている。このように画像データに基づいてライブビュー画像を表示することが可能な表示部を２種類備えたデジタルスチルカメラにおいては、上述した問題について十分に検討されておらず、改良の余地があった。
【０００６】
本発明は上記課題に鑑みてなされたもので、２つの表示部を備えた撮像装置において、利用者が、フレーミングをしっかり確認できる表示方法と画像全体が大きく見える方法とを容易に使い分けられるようにすることを目的とする。
【課題を解決するための手段】
【０００７】
上記課題を解決するために、本発明にかかる撮像装置では、撮像素子が被写体から受光した光に基づいて画像データを生成する撮像動作を行う撮像装置であって、第１の表示部と第２の表示部と、これら表示部の表示を制御する表示制御部とを備える構成としてある。該構成において、第１の表示部と第２の表示部は、ともに画像データに基づいて画像を表示するが、同じ画像データに基づいて画像を表示したときに、第１の表示部よりも第２の表示部の方が大きく表示される。すなわち、第２の表示部において画像を表示するためのエリアは、第１の表示部における画像を表示するためのエリアよりも広く形成されており、第２の表示部は画像データに基づいて上記第１の表示部が表示可能な画像よりも大きく画像を表示することが可能になっている。
【０００８】
そして、表示制御部は、上記撮像素子の受光した光に基づく動画像と該動画像の画像データの生成条件情報とを重畳するように合成して上記第１の表示部に表示し、動画像の外部に該動画像の画像データの生成条件を合成して上記第２の表示部に表示する。なお、上記第１の表示部に表示される上記動画像の画像データは、上記撮像素子の受光した光に基づいて撮像された画像データをリアルタイムに処理して出力されるデータである。他方、上記第２の表示部に表示される動画像の画像データは、上記撮像素子の受光した光に基づいて撮像された画像データをリアルタイムに処理して出力されるデータであってもよいし、いったん外部メモリーなどの記憶媒体に記憶された画像データを読み出したものであってもよい。
【０００９】
以上のように表示制御部が各表示部を制御することにより、上記第１の表示部には他の文字や画像などの情報を重複された画像が表示され、上記第２の表示部には画像に他の文字や画像などの情報が画像の外に表示される。すなわち表示エリアの大きな第２の表示部においては、生成条件情報を表示する部位と画像の表示される部位とを別エリアとし、表示エリアの小さな第１の表示部においては、生成条件情報と画像とを重複した位置に表示させる。よって、用途に応じてユーザーが所望の画面を選択して利用できるようになり、ユーザーの利便性が向上する。
【００１０】
また、本発明の他の一態様として、撮像素子が被写体から受光した光に基づいて画像データを生成する撮像動作を行う撮像装置であって、のぞき窓の内部に設けられて画像データに基づいて画像を表示する第１の表示部と、撮像装置の筐体表面に設けられて画像データに基づいて画像を表示する第２の表示部と、上記撮像素子が受光した光に基づく動画像の外部に該動画像の画像データの生成条件情報を合成して第１の表示部に表示し、動画像と該動画像の画像データの生成条件情報とを重畳するように合成して第２の表示部に表示する表示制御部と、を備えるように構成してもよい。
【００１１】
該構成においては、のぞき窓の内部に設けられた第１の表示部は観察者がのぞき窓に所定距離まで顔を近づけたときにその全画面を観察可能になっており、筐体表面に設けられた第２の表示部は該第２の表示部の設けられた側から観察者が観察したときに距離に関わらずその全画面を観察できるようになっている。むろん、第２の表示部の端部に回動機構を設けることにより、第２の表示部の表示面を任意の方向に回動可能にした場合は、この限りではない。
【００１２】
そしてこの態様においては、上記表示制御部は、上記撮像素子が受光した光に基づく動画像の外部に該動画像の画像データの生成条件情報を合成して第１の表示部に表示し、動画像と該動画像の画像データの生成条件情報とを重畳するように合成して上記第２の表示部に表示する。なお、上記第１の表示部に表示される上記動画像の画像データは、上記撮像素子の受光した光に基づいて撮像された画像データをリアルタイムに処理して出力されるデータである。他方、上記第２の表示部に表示される動画像の画像データは、撮像素子の受光した光に基づいて撮像された画像データをリアルタイムに処理して出力されるデータであってもよいし、いったん外部メモリーなどの記憶媒体に記憶されたデータであってもよい。
【００１３】
このように表示制御部が各表示部を制御することにより、のぞき窓に接眼して観察される可能性の高い第１表示部については生成条件情報を表示する部位と画像の表示される部位とを別エリアとし、筐体表面に設けられる第２の表示部においては、生成条件情報と画像とを重複した位置に表示させる。すなわち、のぞき窓の内部に配置される第１の表示部の表示レイアウトは、その生成条件を第１の表示部に表示される画像から把握するよりも、生成条件情報から客観的に把握する用途に適している。一方、第２の表示部の表示レイアウトは、生成条件よりも表示される画像を観察しつつ付随的に生成条件情報を得る用途に適している。むろん、用途はこれに限るものではなく、複数の表示方式に応じて利用者がその用途を適宜見出すことができる。よって、用途に応じてユーザーが所望の画面を選択して利用できるようになり、ユーザーの利便性が向上する。
【００１４】
また、本発明の他の一態様として、撮像素子が被写体から受光した光に基づいて画像データを生成する撮像動作を行う撮像装置であって、画像データに基づいて画像を表示する第１の表示部と、上記第１の表示部と異なる表示部であり、画像データに基づいて画像を表示する第２の表示部と、上記撮像素子が受光した光に基づく動画像と該動画像の画像データの生成条件情報とを重畳するように合成して上記第１の表示部に表示すると同時に動画像の外部に該動画像の画像データの生成条件情報を合成して第２の表示部に表示する表示制御部と、を備える構成としてもよい。
【００１５】
該構成において、第１の表示部と第２の表示部はそれぞれに画面を有しており異なる画像データに基づく画像を同時に表示することができるようにしてもよいし、第１の表示部と第２の表示部はそれぞれに画面を有しており同一の画像データに基づく画像を同時に表示することができるようにしてもよい。前者の場合であれば、生成条件情報が画像に重複してもよい画像データに基づいた表示を第１の表示部で行い、生成条件情報が画像に重複するのが好ましくない画像データに基づいて表示を第２の表示部で行う。後者の場合であれば、利用者は、生成条件情報が重複しない画像を観察したいときには第１の表示部を利用し、生成条件情報が重複していてもよい画像を観察したいときや縮小されない画像を観察したいときには第２の表示部を利用する。よって、用途に応じてユーザーが所望の画面を選択して利用できるようになり、ユーザーの利便性が向上する。
【００１６】
上述した撮像装置は、他の機器に組み込まれた状態で実施されたり他の方法とともに実施されたりする等の各種の態様を含む。また、本発明は上記撮像装置を備える撮像システム、上述した装置の構成に対応した工程を有する撮像方法、上述した装置の構成に対応した機能をコンピューターに実現させる撮像プログラム、該プログラムを記録したコンピューター読み取り可能な記録媒体、等としても実現可能である。これら撮像システム、撮像方法、撮像プログラム、該プログラムを記録した媒体、の発明も、上述した作用、効果を奏する。むろん、請求項２，３に記載した構成も、前記システムや前記方法や前記プログラムや前記記録媒体に適用可能である。
【図面の簡単な説明】
【００１７】
【図１】本実施形態の構成を示すブロック図である。
【図２】プレビュー動作中のデータの流れを示す説明図である。
【図３】各表示レイアウトの画面を説明する図である。
【図４】変形例１にかかるＶＲＡＭの領域構成を示す説明図である。
【図５】本変形例２にかかるデータの流れを説明する説明図である。
【発明を実施するための形態】
【００１８】
以下、下記の順序に従って本発明の実施形態を説明する。
（１）本実施形態の構成：
（２）表示レイアウトの切換：
（３）表示レイアウトの切換の変形例１：
（４）表示レイアウトの切換の変形例２：
（５）その他変形例：
（６）まとめ：
【００１９】
（１）本実施形態の構成： 
本実施形態の撮像装置は、第１表示部と第２表示部とを備えており、各表示部は、画像を全画面表示しつつ生成条件情報（撮像モードや絞り値やシャッター速度等の撮像時の各種パラメーター）を表示しない「全画面表示」と、画像を縮小表示しつつその余剰領域に生成条件情報を表示する「縮小表示」と、画像を全画面表示しつつ画像に生成条件情報を重畳表示する「オーバーレイ表示」と、をそれぞれで切換えて実行可能になっている。そのために本実施形態の撮像装置は、以下の構成を備えている。
【００２０】
図１は、本実施形態の構成を示すブロック図である。同図に示すように、本実施形態にかかる撮像装置１００はデジタルスチルカメラの構成としてあり、撮像素子１０と、表示制御部２０と、第１表示部３０、第２表示部４０と、記憶部５０と、操作部６０と、圧縮伸張部７０とを備えている。撮像装置１００は、撮像素子１０が被写体から受光した光に基づいて動画像データを生成し、操作部６０に対して行われる各種操作に応じて、該動画像データに基づく画像を第１表示部３０や第２表示部４０に表示させたり、撮像が指示された特定の瞬間に撮像素子１０から取得した画像データや撮像開始が指示されてから撮像終了が指示されるまでの特定の期間内に取得された動画像データを記憶部５０に記憶させたりする。
【００２１】
撮像素子１０は、受光面の受光量に応じた画像を表す電気信号を出力する素子であり、例えば、ＣＣＤやＣＭＯＳで構成することができる。受光面と被写体の間には、レンズ群や絞り等によって構成された不図示の光学系が配置されている。レンズ群や絞りは、不図示の駆動機構によってレンズ位置や絞り量を調整することが可能であり、表示制御部２０は駆動機構を制御することによって撮像素子１０の受光面に投射される光学像の明るさを調整したり、光学像のピントを調整して受光面に結像させたりすることができる。
【００２２】
上記撮像素子１０の一例として、単板式の撮像素子であるＣＣＤイメージセンサーでは、カラー画像信号を作成するために、光電変換素子の受光面に色フィルタが設けてある。色フィルタには、Ｒ（レッド）、Ｇ（グリーン）、Ｂ（ブルー）の原色フィルタや、Ｃ（シアン），Ｍ（マゼンタ），Ｙ（イエロー），Ｇ（グリーン）の補色フィルタがあり、光電変換素子の受光面にフィルタを市松模様配列等で設けることによりカラー画像情報を取り込むことが出来る。本実施形態では、前者の原色フィルタが設けられている場合を例にとって説明することにする。なお、色フィルタや撮像素子を構成する光電変換素子の配置は、格子状やハニカム状など様々な配置を採用可能である。
【００２３】
表示制御部２０は、撮像素子１０で生成される電気信号を取得して画像データＤ１を生成し、画像データＤ１に基づいて第１表示部３０や第２表示部４０に画像を表示させる。そのために、表示制御部２０は、画像処理部２１と、画像コントローラー２２と、ＶＲＡＭ２３（Video Random Access Memory）と、ＶＲＡＭ２５（Video Random Access Memory）とを備えている。
【００２４】
画像処理部２１は、撮像素子１０から入力された画像信号に対して各種画像処理を行うものであり、本実施形態では、アナログフロントエンド（ＡＥＦ）、デモザイク部、リニアマトリックス部、シャープネス処理部、ガンマ補正部、を備えている。ＡＥＦは撮像素子から入力される電気信号を量子化してデジタル画像信号に変換するＡ／Ｄ（Analog Digital）変換を行う。デモザイク部は、単板式の撮像素子から得られたカラー画像信号において各画素で欠落している色成分を周辺画素の画素値を利用して補完することにより１つの画素に対して複数色の情報を持たせるいわゆるデモザイク処理を行う。リニアマトリックス部は、入力ＲＧＢ信号に対して３×３のマトリックス係数を掛ける行列演算処理により、ディスプレイで再現したときに好ましい色再現となるＲＧＢ信号を作成する色再現処理やノイズ除去処理を行う。ガンマ補正部は、特定のガンマ特性を有したディスプレイにおいて正しい階調特性で表示されるように、ＲＧＢ信号にガンマ補正を行う。画像処理部２１は、撮像素子１０から入力された画像信号に上記各種処理を適宜行うことにより画像データＤ１を生成し、画像コントローラー２２に出力する。
【００２５】
画像コントローラー２２は、画像データＤ１に基づいて表示用画像データＤ２を作成してＶＲＡＭ２３に記憶する。表示用画像データＤ２は、第１表示部３０のアスペクト比や画素数に適合するようにアスペクト比や画素数を変換して拡大や縮小したプレビュー用の画像データである。また画像コントローラー２２は、画像データＤ１に基づいて表示用画像データＤ３を作成してＶＲＡＭ２５に記憶する。表示用画像データＤ３は、第２表示部４０のアスペクト比や画素数に適合するようにアスペクト比や画素数を変換して拡大や縮小したプレビュー用の画像データである。
【００２６】
表示用画像データＤ２，Ｄ３は、第１表示部３０や第２表示部４０にプレビューが行われている間は周期的に（所定のフレームレートで）、例えばＮＴＳＣ（National Television System Committee）方式の動画像データとして作成されてＶＲＡＭ２３，２５に更新されている。すなわち、撮像素子１０においても周期的に撮像を行っており、画像処理部２１で周期的に新たな画像データＤ１が作成されて画像コントローラー２２に入力されている。プレビューが行われている期間は、ユーザーが撮像する画像のフレーミングやピントなどを調整している期間に相当し、操作部６０のシャッターボタンを操作するなどして撮像が指示されるまでの期間に対応する。また、画像データＤ１も周期的に作成されるため動画像データであるとも言える。
【００２７】
第１表示部３０は液晶ディスプレイ３１と第１表示制御回路３２を備えており、第１表示制御回路３２は表示制御部２０から入力された（もしくはＶＲＡＭ２３から取得した）表示用画像データＤ２に基づいて液晶ディスプレイ３１の表示動作を制御する。また、第２表示部４０は、液晶ディスプレイ４１と第２表示制御回路４２を備えており、表示制御部２０から入力された（もしくはＶＲＡＭ２５から取得した）画像データに基づいて液晶ディスプレイ４１の表示動作を制御する。なお、本実施形態では第１表示部３０と第２表示部４０を液晶ディスプレイとしてあるが、むろん有機ＥＬ（Electro Luminescence）ディスプレイ、ブラウン管ディスプレイ、プラズマディスプレイ等の表示装置で構成することもできる。
【００２８】
本実施形態の第１表示部３０は画像のフレーミングやピントを確認するために用いられるのぞき窓（ファインダー）の内部に設けられるＥＶＦ（Electronic View Finder）であり、表示用画像データＤ２に基づいて画像を表示する。第１表示部３０に表示される画像は、データ処理による遅延等はあるものの光学系から入力される光学像に対応してほぼリアルタイムに表示される。むろん、第１表示部３０はＥＶＦ以外の用途を目的として設けられたサブディスプレイであっても構わない。
また、本実施形態の第２表示部４０は撮像装置１００の筐体表面に設けられており、第１表示部３０と同様に光学像のリアルタイム表示を行ったり、記憶部５０に記憶されている画像データに基づく画像を表示したり、撮像装置１００の各種設定を行うメニュー画面を表示したりする。そのため、第２表示部４０の画面サイズは第１表示部３０よりも大きく形成されている。
【００２９】
また、ユーザーが撮影する画像のフレーミングを決定してシャッターボタンを押すと、画像データＤ１が圧縮伸張部７０に出力される。このとき圧縮伸張部７０に出力される画像データＤ１は、シャッターボタンが押されてから撮像素子１０で撮像された画像信号に基づいて作成されてもよいし、シャッターボタンが押されたときに表示制御部２０で作成済みの画像データＤ１であってもよい。またシャッターボタンが押されたときに、表示制御部２０でデモザイク処理を行う前のいわゆるＲＡＷデータを記憶部５０に記憶させてもよい。ＲＡＷデータを記憶する場合は、表示制御部２０はＡ／Ｄ変換直後のＲＡＷデータを圧縮伸張部７０を介さずに記憶部５０に出力する。また、動画像を記録する場合は、撮影開始を指示する操作が操作部６０に行われてから、撮影終了を指示する操作が操作部６０に行われるまでに作成された画像データＤ１を順次圧縮伸張部７０に出力する。
【００３０】
圧縮伸張部７０は、表示制御部２０の制御に従って、画像処理部２１から出力される画像データを圧縮して圧縮画像データを生成する。圧縮形式は、非可逆圧縮ＪＰＥＧ形式や非可逆圧縮ＴＩＦＦ形式のように非可逆圧縮であってもよいし、ＰＮＧ形式や可逆圧縮ＪＰＥＧ形式や可逆圧縮ＴＩＦＦ形式のように可逆圧縮であってもよい。また、圧縮伸張部７０は、画像データを圧縮せずにビットマップ形式で出力してもよい。また動画像を記録する場合は、順次入力される画像データＤ１に基づいて、例えばＭＰＥＧ形式等の圧縮形式で圧縮画像データを作成する。このようにして作成された圧縮画像データは記憶部５０に出力される。また、圧縮伸張部７０は圧縮されている画像データを伸張することができる。圧縮伸張部７０は、圧縮画像データと該圧縮画像データの伸張の指示が表示制御部２０から入力されると、圧縮画像データを伸張して復元した画像データを表示制御部２０に出力する。
【００３１】
記憶部５０は、例えば、リムーバブルメモリー（着脱可能な記憶媒体）を接続するためのカードスロット（着脱口）や接続されたリムーバブルメモリーに対するデータ読み書きを制御するインターフェースとして機能するメモリーコントローラーを備える。むろん、着脱できない固定式の記憶媒体によって記憶部５０を構成してもよい。記憶部５０は、表示制御部２０の制御に従って、圧縮伸張部７０の出力する圧縮画像データやＡＥＦから出力されるＲＡＷデータをリムーバブルメモリーに記憶する。また、記憶部５０は、表示制御部２０の制御に従ってリムーバブルメモリーに記憶されている画像データを読み出して表示制御部２０や圧縮伸張部７０に出力することもできる。なお、本実施形態においては、記憶部５０のメモリーコントローラーや後述のドライバープログラムを実行する制御部２７が読書部を構成することになる。
【００３２】
以上の各部を制御する表示制御部２０は、所定のプログラムに従って撮像装置１００の全体を制御する制御部２６が制御主体となっている。制御部２６は、例えば、通信バスで互いに接続されたＣＰＵ２６ａ（演算処理部）とＲＡＭ２６ｂ（揮発性の半導体メモリー）とフラッシュメモリー２６ｃ（不揮発性の半導体メモリー）で構成することができる。ＣＰＵ２６ａは、ＲＡＭ２６ｂをワークエリアとして利用しつつフラッシュメモリー２６ｃに記憶されている撮像プログラムを実行することにより、ＤＳＣ１００の全体の動作を制御する。
【００３３】
また、制御部２６に対して各種の操作入力を行うための操作部６０は、ボタンやスイッチやダイヤル等の操作入力手段を備えている。ユーザーは、これら操作入力手段に対して所定の操作を行うことにより操作に応じた制御信号を制御部２６に入力し、制御部２６は制御信号に応じた制御処理を実行することになる。
【００３４】
（２）表示レイアウトの切換： 
以上の構成において、上述した「全画面表示」と「縮小表示」と「オーバーレイ表示」との３つの表示レイアウトのそれぞれが選択されたときのデータの流れについて説明する。図２は、プレビュー動作中のデータの流れを示す説明図であり、図３は各表示レイアウトの画面を説明する図である。
【００３５】
図２に示すように、ＶＲＡＭ２３は、表示用画像データＤ２を記憶するためのＶＲＡＭ２３ａと生成条件情報に基づいて作成されたＯＳＤデータＯＳＤ１を記憶するためのＶＲＡＭ２３ｂとを備えており、ＶＲＡＭ２５は、表示用画像データＤ３を記憶するためのＶＲＡＭ２５ａと生成条件情報に基づいて作成されたＯＳＤデータＯＳＤ２を記憶するためのＶＲＡＭ２５ｂとを備える。なお、ＯＳＤはオンスクリーンディスプレイの略であり、ＯＳＤデータとは画像データＤ１にオーバーレイ表示するための画像データである。
【００３６】
ＶＲＡＭ２３ａには、画像コントローラー２２の出力する表示用画像データＤ２が記憶され、ＶＲＡＭ２３ｂには制御部２６が生成条件情報に基づいて作成したＯＳＤデータＯＳＤ１が記憶される。ＶＲＡＭ２５ａには、画像コントローラー２４の出力する表示用画像データＤ３が記憶され、ＶＲＡＭ２５ｂには制御部２６が生成条件情報に基づいて作成したＯＳＤデータＯＳＤ２が記憶される。なお、ＯＳＤデータＯＳＤ１，ＯＳＤ２によって表示する生成条件情報は同一であってもよいし、各表示部の用途に応じて異なる表示を行うものであってもよい。
【００３７】
また、第１表示制御回路３２は画像合成回路３２ａを備えており、画像合成回路３２ａはＶＲＡＭ２３ａの表示用画像データＤ２とＶＲＡＭ２３ｂのＯＳＤデータＯＳＤ１とを取得もしくは入力されており、これらを合成して合成データＭＤ１を生成する。また、第２表示制御回路４２は画像合成回路４２ａを備えており、画像合成回路４２ａはＶＲＡＭ２５ａの表示用画像データＤ３とＶＲＡＭ２５ｂのＯＳＤデータＯＳＤ２とを取得もしくは入力されており、これらを合成して合成データＭＤ２を生成する。
【００３８】
このようにして各部で生成される合成データＭＤ１，ＭＤ２は、表示レイアウトに応じて変化する。本実施形態における表示レイアウトは「全画面表示」、「縮小表示」、「オーバーレイ表示」の３態様であり、表示レイアウトを変更させるための操作が操作部６０で行われると、制御部２６が画像コントローラー２２を制御して各画面の表示レイアウトを変更する。なお、第１表示部３０と第２表示部４０は、各々３態様ずつ変更可能であるため、撮像装置１００全体としては３態様×３態様の９通りの表示レイアウトが存在することになる。表示レイアウトの変更の指示は、表示部ごとに３態様のなかからいずれかを選択するような操作が出来るようにしてもよいし、予め記憶された９通りの組合せのなかからいずれかを選択できるようにしてもよい。
【００３９】
まず、第１表示部３０について「全画面表示」が選択されると、画像コントローラー２２は、画像データＤ１に基づいて第１表示部３０の画面サイズに全体に表示されるようにアスペクト比と画素数とを変換した表示用画像データＤ２をＶＲＡＭ２３ａに記憶させる。そして制御部２６は、ＶＲＡＭ２３ｂに記憶されているＯＳＤデータＯＳＤ１をクリアもしくは、各画素値が全て０のブランクデータをＶＲＡＭ２３ｂに記憶させる。その結果、画像合成回路３２ａで合成された合成データＭＤ１に基づいて第１表示制御回路３２によって駆動される液晶ディスプレイ３１の画面には、図３（ａ）に示すように画像データＤ１に基づいた画像が全画面表示されることになる。
【００４０】
同様に、第２表示部４０について「全画面表示」が選択されると、画像コントローラー２２は、画像データＤ１に基づいて第２表示部４０の画面サイズに全体に表示されるようにアスペクト比と画素数とを変換した表示用画像データＤ３をＶＲＡＭ２５ａに記憶させる。そして制御部２６は、ＶＲＡＭ２５ｂに記憶されているＯＳＤデータＯＳＤ２をクリアもしくは、各画素値が全て０のブランクデータをＶＲＡＭ２５ｂに記憶させる。その結果、画像合成回路４２ａで合成された合成データＭＤ２に基づいて第２表示制御回路４２によって駆動される液晶ディスプレイ４１の画面には、図３（ａ）に示すように画像データＤ１に基づいた画像が全画面表示されることになる。
【００４１】
次に、第１表示部３０について「縮小表示」が選択されると、画像コントローラー２２は、画像データＤ１に基づいて第１表示部３０の画面サイズよりも小さいアスペクト比と少ない画素数とに変換した表示用画像データＤ２をＶＲＡＭ２３ａに記憶させる。そして制御部２６は、第１表示部３０の画面の余剰領域に生成条件情報の文字情報や画像情報を表示させるＯＳＤデータＯＳＤ１をＶＲＡＭ２３ｂに記憶させる。その結果、画像合成回路３２ａで合成された合成データＭＤ１に基づいて第１表示制御回路３２によって駆動される液晶ディスプレイ３１の画面には、図３（ｂ）に示すように画像データＤ１に基づいた画像が縮小表示されるとともに、その余剰領域に文字情報や画像情報が表示されることになる。なお、図３（ｂ）の「縮小表示」では、表示用画像と画面の左端と上端とが一致するように左上に寄せて配置してあるが、むろん画面中央に表示したり、右端と下端を画面と一致させて表示したり、とレイアウトは適宜変更可能である。
【００４２】
同様に、第２表示部４０について「縮小表示」が選択されると、画像コントローラー２２は、画像データＤ１に基づいて第２表示部４０の画面サイズよりも小さいアスペクト比と少ない画素数とに変換した表示用画像データＤ３をＶＲＡＭ２５ａに記憶させる。そして制御部２６は、第２表示部４０の画面の余剰領域に生成条件情報の文字情報や画像情報を表示させるＯＳＤデータＯＳＤ２をＶＲＡＭ２５ｂに記憶させる。その結果、画像合成回路４２ａで合成された合成データＭＤ２に基づいて第２表示制御回路４２によって駆動される液晶ディスプレイ４１の画面には、図３（ｂ）に示すように画像データＤ１に基づいた画像が縮小表示されるとともに、その余剰領域に文字情報や画像情報が表示されることになる。むろん、この場合も表示用画像のレイアウトは適宜変更可能である。
【００４３】
そして、第１表示部３０について「オーバーレイ表示」が選択されると、画像コントローラー２２は、画像データＤ１に基づいて第１表示部３０の画面サイズに全体に表示されるようにアスペクト比と画素数とを変換した表示用画像データＤ２をＶＲＡＭ２３ａに記憶させる。そして制御部２６は、第１表示部３０の画面の所定の位置に生成条件情報の文字情報や画像情報を表示させるＯＳＤデータＯＳＤ１をＶＲＡＭ２３ｂに記憶させる。その結果、画像合成回路３２ａで合成された合成データＭＤ１に基づいて第１表示制御回路３２によって駆動される液晶ディスプレイ３１の画面には、図３（ｃ）に示すように画像データＤ１に基づいた画像が全画面表示されつつこの画像に文字情報や画像情報が重畳表示されることになる。
【００４４】
同様に、第２表示部４０について「オーバーレイ表示」が選択されると、画像コントローラー２２は、画像データＤ１に基づいて第２表示部４０の画面サイズに全体に表示されるようにアスペクト比と画素数とを変換した表示用画像データＤ３をＶＲＡＭ２５ａに記憶させる。そして制御部２６は、第２表示部４０の画面の所定の位置に生成条件情報の文字情報や画像情報を表示させるＯＳＤデータＯＳＤ２をＶＲＡＭ２５ｂに記憶させる。その結果、画像合成回路４２ａで合成された合成データＭＤ２に基づいて第２表示制御回路４２によって駆動される液晶ディスプレイ４１の画面には、図３（ｃ）に示すように画像データＤ１に基づいた画像が全画面表示されつつこの画像に文字情報や画像情報が重畳表示されることになる。
【００４５】
以上の構成によれば、ユーザーは操作部６０に所定の操作を行うことにより第１表示部３０と第２表示部４０の表示レイアウトの組合せを共通にしたり相違させたりと自由に選択することができるため、ユーザーの利便性が向上する。すなわち、「縮小表示」であれば画像の表示領域と生成条件情報の表示領域とを分けて表示できるため情報表示が画像にかぶらず、フレーミングをしっかり確認できる。また「オーバーレイ表示」であれば生成条件情報を確認しつつ画像全体を大きく見える。また、「全画面表示」であれば、画像全体を大きく見つつ、画像の細部を生成条件情報に邪魔されることなく確認できる。
【００４６】
特に、第１表示部３０で「縮小表示」を行うと表示用画像が小さくなりすぎてしまう場合には、第２表示部４０で「縮小表示」を行いつつ第１表示部３０で「全画面表示」または「オーバーレイ表示」を行うことが望ましい。「全画面表示」または「オーバーレイ表示」で第１表示部３０に表示される表示用画像よりも「縮小表示」で第２表示部４０に表示される表示用画像の方が大きく表示できるし、「縮小表示」されている第２表示４０では生成条件情報と表示用画像の全体とを同時に確認できるからである。
【００４７】
また、第１表示部３０で「縮小表示」を行っても表示用画像が小さくなりすぎない場合には、第１表示部３０で「縮小表示」を行いつつ、第２表示部４０は「全画面表示」または「オーバーレイ表示」を行うことが望ましい。撮影時にユーザーが顔を近づけて注視するのぞき窓（ファインダー）の内部に設けられる第１表示部３０で画像全体を確認できると共に生成条件情報を確認できるし、撮影時にユーザーがあまり顔を近づけず注視しない筐体表面に設けられた第２表示部４０は、顔を離して視角が小さくなった場合でも画像を確認しやすいようになるからである。
【００４８】
（３）表示レイアウトの切換の変形例１： 
上述した実施形態では、表示用画像データＤ２，Ｄ３はＶＲＡＭ２３，２５の全体に１画面分の画像データを記憶する構成としたが、ＶＲＡＭ２３，２５に複数画面分の表示用画像データＤ２，Ｄ３を記憶できるようにしてもよい。図４は、本変形例にかかるＶＲＡＭ２３，２５の領域構成を示す説明図である。図４に示すように本変形例２にかかるＶＲＡＭ２３ａは、バンク２３ａ１，バンク２３ａ２，バンク２３ａ３，バンク２３ａ４の複数領域に分割されている。各バンクには、１画面分の表示用画像データＤ２を記憶することができる。また、図４に示すように本変形例２にかかるＶＲＡＭ２５ａは、バンク２５ａ１，バンク２５ａ２，バンク２５ａ３，バンク２５ａ４の複数領域に分割されている。各バンクには、１画面分の表示用画像データＤ３を記憶することができる。
【００４９】
画像コントローラー２２は、画像データＤ１から周期的に生成する表示用画像データＤ２の生成順に応じて、バンク２３ａ１，バンク２３ａ２，バンク２３ａ３，バンク２３ａ４，バンク２３ａ１，バンク２３ａ２，・・・の順にバンクの中で最初に記憶された表示用画像データＤ２を上書きするように記憶先を変更していく。また、第１表示制御回路３２による表示用画像データＤ２の読込み先は、最新の表示用画像データＤ２の書込まれているバンクからデータを読込むように順次変更される。従って、いずれかのバンクにデータ書込み中であっても、その直前に更新されたバンクからデータを読込むことができる。なお、制御部２６はＯＳＤ表示している情報が変更されない限りＶＲＡＭ２３ｂのＯＳＤデータＯＳＤ１を更新しない。
【００５０】
また、画像コントローラー２２は、画像データＤ１から周期的に生成する表示用画像データＤ３の生成順に応じて、バンク２５ａ１，バンク２５ａ２，バンク２５ａ３，バンク２５ａ４，バンク２５ａ１，バンク２５ａ２，・・・の順に記憶先を変更していく。また、第２表示制御回路４２の表示用画像データＤ３の読込み先は、最新の表示用画像データＤ３の書込まれているバンクからデータを読込むように順次変更される。なお、制御部２６はＯＳＤ表示している情報が変更されない限りＶＲＡＭ２５ｂのＯＳＤデータＯＳＤ２を更新しない。
【００５１】
以上説明した変形例１によれば、画像コントローラー２２がＶＲＡＭ２３やＶＲＡＭ２５にデータを書きこむ速度が向上する。また、第１表示部３０や第２表示部４０の画像更新頻度も向上する。よって、各表示部に表示されている画像と実際の被写体との間のタイムラグが短縮される。
【００５２】
（４）表示レイアウトの切換の変形例２： 
上述した実施形態では、画像コントローラー２２ひとつで、表示用画像データＤ２ｌ，Ｄ３を作成してＶＲＡＭ２３とＶＲＡＭ２５の双方に書込む処理を行っていたため、画像データ転送のトラフィックが倍増していた。そこで本変形例２では、画像コントローラーを表示部ごとに設けて、画像データの転送トラフィックを軽減させる構成としてある。図５は、本変形例２にかかる画像コントローラー周りの構成と、データの流れを説明する説明図である。
【００５３】
図５に示すように、本変形例３では、画像コントローラー２２の直前に画像データＤ１をバッファーするためのＶＲＡＭ２７が設けてある。ＶＲＡＭ２７は、複数の画面分の画像データを記憶できるように、バンク２７ａ，バンク２７ｂ，バンク２７ｃ，バンク２７ｄのように複数の領域に分けられている。また本変形例３では、第１表示部３０用の画像コントローラー２２ａと第２表示部４０用の画像コントローラー２２ｂが別々に設けてある。
【００５４】
画像コントローラー２２ａは、画像データＤ１の読込み元バンクをバンク２７ａ，バンク２７ｂ，バンク２７ｃ，バンク２７ｄの中から順次変更しつつ読込んだ画像データのアスペクト比や画素数を変換する機能と、この変換した画像を第１表示部３０の画面上の任意の位置に配置する機能と、このようにして生成した表示用画像データＤ２をＶＲＡＭ２３ａに書込む機能とを備えている。画像コントローラー２２ｂは、画像データＤ１の読込み元バンクをバンク２７ａ，バンク２７ｂ，バンク２７ｃ，バンク２７ｄの中から順次変更しつつ読込んだ画像データのアスペクト比や画素数を変換する機能と、この変換した画像を第２表示部４０の画面上の任意の位置に配置する機能と、このようにして生成した表示用画像データＤ３をＶＲＡＭ２５ａに書込む機能とを備えている。
【００５５】
このようにしてＶＲＡＭ２３，２５に書込まれた表示用画像データＤ２，Ｄ３に基づいて第１表示部３０や第２表示部４０に画像を表示すると、画像コントローラーにおける画像データ転送のトラフィックを軽減が軽減される。また、画像データＤ１がＶＲＡＭ２７の複数バンクに順次変更しつつ記憶されるため、画像処理部２１の画像データＤ１の出力速度を高めることができる。
【００５６】
（５）その他変形例： 
上述した実施形態におけるＯＳＤデータＯＳＤ１，ＯＳＤ２は、ＯＳＤ表示している生成条件が変更されない限り変更されないようにしていたが、生成条件のパラメーターもリアルタイムで更新されてほしいという要望がある可能性もある。そこで、ＯＳＤ表示もリアルタイムで更新するために、ＶＲＡＭ２３ｂにバンクＯＳＤ１１，ＯＳＤ１２のように複数画面分のＯＳＤデータを記憶できるように複数のバンクを形成し、ＶＲＡＭ２５ｂにバンクＯＳＤ２１，ＯＳＤ２２のように複数画面分のＯＳＤデータを記憶できるように複数のバンクを形成する。そして、制御部２６によるＯＳＤデータの書込み先バンクを順次変更し、各表示制御回路による読込み先バンクを順次変更して合成データＭＤ１，ＭＤ２を生成する。このようにすることで、ＯＳＤ表示される生成条件情報の更新速度が向上し、表示される生成条件情報の信頼性が向上する。
【００５７】
また、上述した実施形態では撮像素子１０から周期的に取得されるライブビュー画像についての表示レイアウトを切換える場合を例にとって説明したが、同様のレイアウト切換は記憶部５０に記憶済みの画像データに基づいて画像表示する場合にも適用可能である。
【００５８】
（６）まとめ： 
以上説明した実施形態によれば、撮像素子１０が被写体から受光した光に基づいて画像データＤ１を生成する撮像動作を行う撮像装置１００であって、画像データＤ１に基づいて画像を表示する第１表示部３０と、画像データＤ１に基づいて第１表示部３０よりも大きく画像を表示する第２表示部４０と、撮像素子１０の受光した光に基づく動画像と該動画像の画像データＤ１の生成条件情報とを重畳するように合成して第１表示部３０に表示し、動画像の外部に該動画像の画像データＤ１の生成条件情報を合成して第２表示部４０に表示する表示制御部２０と、を備える。従って、２つの表示部を備えた撮像装置において、利用者が、フレーミングをしっかり確認できる表示方法と画像全体が大きく見える方法とを容易に使い分けられるようになる。
【００５９】
なお、本発明は上述した実施形態や変形例に限られず、上述した実施形態および変形例の中で開示した各構成を相互に置換したり組合せを変更したりした構成、公知技術並びに上述した実施形態および変形例の中で開示した各構成を相互に置換したり組合せを変更したりした構成、等も含まれる。
【符号の説明】
【００６０】
１００…撮像装置、１０…撮像素子、２０…表示制御部、２１…画像処理部、２２，２２ａ，２２ｂ…画像コントローラー、２３，２３ａ，２３ｂ…ＶＲＡＭ、２４…画像コントローラー、２５，２５ａ，２５ｂ…ＶＲＡＭ、２６…制御部、２７…ＶＲＡＭ、３０…第１表示部、３１…液晶ディスプレイ、３２…第１表示制御回路、３２ａ…画像合成回路、４０…第２表示部、４１…液晶ディスプレイ、４２…第２表示制御回路、４２ａ…画像合成回路、５０…記憶部、６０…操作部、７０…圧縮伸張部、Ｄ１…画像データ、Ｄ２…表示用画像データ、Ｄ３…表示用画像データ、ＭＤ１…合成データ、ＭＤ２…合成データ
【図１】
2011119932.tif 000003
【図２】
2011119932.tif 000004
【図３】
2011119932.tif 000005
【図４】
2011119932.tif 000006
【図５】
2011119932.tif 000007